(57)【要約】【課題】ブザーの音量を周囲の騒音に応じて自動変更する機能と、ブザーの音量をユーザーが設定可能な機能と、ＬＥＤの明るさを周囲の明るさに応じて自動変更する機能と、ＬＥＤの明るさをユーザーが設定可能な機能とを有し、ユーザーに満足のいく通知手段を提供する。【解決手段】ブザーの音量を設定するブザー音量入力手段と、ＬＥＤの明るさを設定するＬＥＤ明るさ入力手段と、ＬＥＤの明るさ自動調節の選択をするＬＥＤ自動調節入力手段と、ブザーの音量自動調節の選択をするブザー自動調節入力手段と、明るさを指定するＬＥＤ命令手段と、音量を指定するブザー発音手段と、ＬＥＤ表示手段とブザー発音手段と周囲の明るさを検知する明るさ検知手段と周囲の騒音を検知する騒音検知手段とを有する。【選択図】　　　　図１
2004037489.tif 000002
【特許請求の範囲】
【請求項１】
ブザーの音量をユーザーが設定するための表示を行うブザー音量入力手段とＬＥＤの明るさをユーザーが設定するための表示を行うＬＥＤ明るさ入力手段とＬＥＤの明るさを周囲にあわせて自動調節するかを選択するための表示を行うＬＥＤ自動調節入力手段とブザーの音量を周囲にあわせて自動調節するかを選択するための表示を行うブザー自動調節入力手段とＬＥＤをユーザーに指定された明るさで点灯するようＬＥＤ表示手段に命令し、明るさ検知手段により検知した明るさに応じて点灯するようＬＥＤ表示手段に命令するＬＥＤ命令手段と、ブザーをユーザーに指定された音量で発音するようブザー発音手段に命令し、騒音検知手段により検知した騒音に対応した音量で発音するようブザー発音手段に命令するブザー発音手段と、ＬＥＤ命令手段から命令された明るさでＬＥＤを点灯するＬＥＤ表示手段と、ブザー音命令手段に命令された音量でブザーを発音するブザー発音手段と、周囲の明るさを検知する明るさ検知手段と、周囲の騒音を検知する騒音検知手段とを有することを特徴とする印刷装置システム。
【発明の詳細な説明】
【０００１】
【発明の属する技術分野】
本発明は、ブザー音の発音やＬＥＤの点灯の機能を有する印刷装置に関する。
【０００２】
【従来の技術】
従来、印刷装置は用紙切れや紙詰まりなどの障害が発生すると、ブザー音を発したり、ＬＥＤを点灯または点滅することで、ユーザーに通知していた。
【０００３】
【発明が解決しようとする課題】
印刷装置の障害の通知手段等となるブザー音やＬＥＤは、周囲の状況に応じて可変ではなかった為、ブザー音は、周囲の騒音等の状況に影響され、聞き取りにくいことがあったり、ＬＥＤは、そのユーザーにとって、確認しづらい明るさであったり等、その通知手段がユーザーにとって満足のいく通知でない場合があった。
【０００４】
【課題を解決するための手段】
ブザーの音量をユーザーが設定するための表示を行うブザー音量入力手段とＬＥＤの明るさをユーザーが設定するための表示を行うＬＥＤ明るさ入力手段とＬＥＤの明るさを周囲にあわせて自動調節するかを選択するための表示を行うＬＥＤ自動調節入力手段とブザーの音量を周囲にあわせて自動調節するかを選択するための表示を行うブザー自動調節入力手段とＬＥＤをユーザーに指定された明るさで点灯するようＬＥＤ表示手段に命令し、明るさ検知手段により検知した明るさに応じて点灯するようＬＥＤ表示手段に命令するＬＥＤ命令手段と、ブザーをユーザーに指定された音量で発音するようブザー発音手段に命令し、騒音検知手段により検知した騒音に対応した音量で発音するようブザー発音手段に命令するブザー発音手段と、ＬＥＤ命令手段から命令された明るさでＬＥＤを点灯するＬＥＤ表示手段と、ブザー音命令手段に命令された音量でブザーを発音するブザー発音手段と、周囲の明るさを検知する明るさ検知手段と、周囲の騒音を検知する騒音検知手段とを有する。
【０００５】
（作用）
印刷装置の障害時等の通知手段であるブザーの音量を周囲の騒音に応じて自動に変更する機能とブザーの音量をユーザーが設定できる機能と、ＬＥＤの明るさを周囲の明るさに応じて変更する機能とＬＥＤの明るさをユーザーが設定できる機能とを有し、その通知手段をユーザーにとって満足のいく通知にすることでユーザーに利便性を提供する。
【０００６】
【発明の実施の形態】
（実施例１）
以下、図面を参照して本発明を詳細に説明する。
【０００７】
本発明に係る記録装置システムは、図１基本構成図に示すように、記録装置２０００とホストコンピュータ１００００、プリンタドライバ３０００から構成される。
【０００８】
図２は本発明に係る印刷装置構成図である。プリンタドライバの制御を行うプリンタドライバ主制御部１０とブザーの音量をユーザーが設定するための表示などを行うブザー音量入力部１２とＬＥＤの明るさをユーザーが設定するための表示などを行うＬＥＤ明るさ入力部１３とＬＥＤの明るさを周囲にあわせて自動調節するかを選択するための表示などを行うＬＥＤ自動調節入力部１４とブザーの音量を周囲にあわせて自動調節するかを選択するための表示などを行うブザー自動調節入力部１５とを含むプリンタドライバ３０００とホストコンピュータの制御を行うホストコンピュータ主制御部１６と印刷装置に設定内容の出力などを行うホストコンピュータ入出力制御部１７とからなるホストコンピュータ１０００と、ホストコンピュータからの設定内容の入力などを行う印刷装置入出力制御部１８と、ＬＥＤをユーザーに指定された明るさで点灯するようＬＥＤ表示部に命令、また、明るさ検知部により明るさを検知した明るさ応じた明るさで点灯するようＬＥＤ表示部に命令するＬＥＤ命令部２０と、ブザーをユーザーに指定された音量で発音するようブザー発音部に命令、また、騒音検知部により検知した騒音に対応した音量で発音するようブザー発音部に命令するブザー発音部２１とを含む印刷装置主制御部１９と、ＬＥＤ命令部から命令された明るさでＬＥＤを点灯するＬＥＤ表示部２５と、ブザー音命令部に命令された音量でブザーを発音するブザー発音部２６と、印刷を実行する印刷装置印刷部２２と、周囲の明るさを検知する明るさ検知部２３と、周囲の騒音を検知する騒音検知部２４とからなる印刷装置２０００とで構成される印刷装置システムである。
【０００９】
図３は、自動調節、自己設定のためのプリンタドライバでの操作である。Ｓ１において、ユーザーがＬＥＤ自動調節を機能させたいかをプリンタドライバ３０００のＬＥＤ調節入力部より入力させる（プリンタドライバ表示内容は、図８にて後述）。ＬＥＤ自動調節の機能を使用する場合は、Ｓ２へ進み、ＬＥＤ自動調節機能の命令をホストコンピュータ主制御部、ホストコンピュータ入出力制御部、印刷装置入出力制御部を介して、印刷装置主制御部のＬＥＤ命令部に通知する。また、Ｓ２では、ユーザーがブザー音量自動調節を機能させたいかをプリンタドライバ３０００のブザー音量自動調節入力部より入力させる（プリンタドライバ表示内容は、図８にて後述）。ブザー音量自動調節の機能を使用する場合は、Ｓ４へ進み、ブザー音量自動調節の命令をホストコンピュータ主制御部、ホストコンピュータ入出力制御部、印刷装置入出力制御部を介して、印刷装置主制御部のブザー音命令部に通知する。また、Ｓ５では、ユーザーがＬＥＤの明るさを自分が使いやすいよう設定したい場合は、その明るさをプリンタドライバ３０００のＬＥＤ明るさ入力部より入力させる（プリンタドライバ表示内容は、図８にて後述）。ＬＥＤ明るさ設定の機能を使用する場合は、Ｓ６へ進み、ＬＥＤ自己設定の命令をホストコンピュータ主制御部、ホストコンピュータ入出力制御部、印刷装置入出力制御部を介して、印刷装置主制御部のＬＥＤ命令部に通知する。また、Ｓ７では、ユーザーがブザー音量を自分が使いやすいよう設定したい場合は、その音量をプリンタドライバ３０００のブザー音量入力部より入力させる（プリンタドライバ表示内容は、図８にて後述）。ブザー音量設定の機能を使用する場合は、Ｓ８へ進み、ブザー音量自己設定の命令をホストコンピュータ主制御部、ホストコンピュータ入出力制御部、印刷装置入出力制御部を介して、印刷装置主制御部のブザー発音部に通知する。
【００１０】
図４は、図３Ｓ２におけるＬＥＤの明るさの自動調節の手順である。図４Ａ１で、印刷装置の障害発生等でＬＥＤを点灯する場合には、Ａ２へ進み、明るさ検知部で周囲の明るさを検知する。Ｓ３では、ＬＥＤ命令部は、検知した明るさに対応した明るさ段階の設定でＬＥＤ表示部にＬＥＤを点灯させる（検知した明るさと明るさ段階の設定については図９にて後述）。
【００１１】
図５は、図３Ｓ４におけるブザーの音量の自動調節の手順である。図５Ｂ１で、印刷装置の障害発生等でブザーを発音する場合にはＢ２へ進み、騒音検知部で周囲の騒音を検知する。Ｂ３では、ブザー音命令部は、検知した騒音に対応した音量段階の設定でブザー発音部にブザーを発音させる（検知した騒音と音量段階の設定については図１０にて後述）。
【００１２】
図６は、図３Ｓ６におけるＬＥＤの明るさをユーザーが設定してからＬＥＤ点灯までの手順である。図６Ｃ１で、ユーザーがプリンタドライバのＬＥＤ明るさ入力部よりＬＥＤの明るさを設定し、Ｃ２では、Ｃ１の設定を印刷装置のＬＥＤ命令部に通知し、ＬＥＤ命令部では、次にＬＥＤを点灯する時の明るさの段階として保存しておく。Ｃ３で、ＬＥＤを点灯する場合は、Ｃ４に進み、ＬＥＤ命令部は、Ｃ２で保存したＬＥＤの明るさ段階でＬＥＤ表示部に点灯させる。
【００１３】
図７は、図３Ｓ８におけるブザー音の音量をユーザーが設定してからブザー発音までの手順である。図６Ｄ１で、ユーザーがプリンタドライバのブザー音入力部よりブザーの音量を設定し、Ｄ２では、Ｄ１の設定を印刷装置のブザー音命令部に通知し、ブザー音命令部では、次にブザーを発音する時の音量の段階として保存しておく。Ｄ３で、ブザーを発音する場合は、Ｄ４に進み、ブザー音命令部は、Ｄ２で保存したブザーの音量段階でブザー発音部に発音させる。
【００１４】
図８は、図３のＳ１，Ｓ３，Ｓ５，Ｓ７におけるプリンタドライバ表示内容である。ユーザーがＬＥＤの自動調節を使用したい場合は、「ＬＥＤの明るさ自動調節」を選択させる。また、ユーザーがブザー音量の自動調節を使用したい場合は、「ブザーの音量自動調節」を選択させる。また、ＬＥＤの明るさを自己設定する場合は、明るさの段階を選択させる。また、ブザーの音量を自己設定する場合は、音量の段階を選択させる。
【００１５】
図９は、明るさ検知とＬＥＤ命令部の明るさ段階の対応である。明るさ検知により明るさを４段階だと検知した場合、ＬＥＤ命令部では、ＬＥＤの明るさを最も明るい４段階に対応させる。
【００１６】
図１０は、騒音検知とブザー音命令部の音量段階の対応である。騒音検知により騒音を１段階だと検知した場合、ブザー音命令部では、ブザーの音量を最も静かな１段階に対応させる。
【００１７】
【発明の効果】
印刷装置の障害時等の通知手段である、ブザーの音量を周囲の騒音に応じて変更する機能とブザーの音量をユーザーが設定できる機能と、ＬＥＤの明るさを周囲の明るさに応じて変更する機能とＬＥＤの明るさをユーザーが設定できる機能とを有することで、その通知手段をユーザーにとって満足のいく通知にすることでユーザーに利便性を提供する。
【図面の簡単な説明】
【図１】実施例１に係る印刷装置システムの基本構成図。
【図２】実施例１に係る印刷装置システムの構成図。
【図３】実施例１に係るユーザーがプリンタドライバから設定する手順。
【図４】実施例１に係るＬＥＤの明るさの自動調節の手順。
【図５】実施例１に係るブザーの音量の自動調節の手順。
【図６】実施例１に係る明るさをユーザーが設定してからＬＥＤ点灯までの手順。
【図７】実施例１に係る音量をユーザーが設定してからブザー発音までの手順。
【図８】実施例１に係るプリンタドライバの表示。
【図９】実施例１に係る明るさ検知とＬＥＤ命令部の明るさ段階の対応。
【図１０】実施例１に係る騒音検知とブザー音命令部の音量段階の対応。
【図１】
2004037489.tif 000003
【図２】
2004037489.tif 000004
【図３】
2004037489.tif 000005
【図４】
2004037489.tif 000006
【図５】
2004037489.tif 000007
【図６】
2004037489.tif 000008
【図７】
2004037489.tif 000009
【図８】
2004037489.tif 000010
【図９】
2004037489.tif 000011
【図１０】
2004037489.tif 000012